(57)【要約】【課題】指定されたフォルダー又はサブフォルダー内に格納されたサブフォルダー又は電子ファイルを一覧表示する際、所定領域での限られた数のサムネイルの一覧表示と、所定領域でのサムネイルのない多数のファイル名の一覧表示とを同時に表示することが可能な情報表示装置、情報表示方法、情報表示プログラム、及び内視鏡システムを提供すること。【解決手段】コンピュータで処理可能な電子ファイル又は電子ファイルを記録媒体上で概念的に記録する場所を示すフォルダーを表示する情報表示装置であって、階層的に管理されたフォルダーを第１の表示領域に階層表示する手段と、階層表示されたフォルダーのうち指定されたフォルダー内の電子ファイルをサムネイル形式で第２の領域に一覧表示する手段と、階層表示されたフォルダーのうち指定されたフォルダー内の電子ファイルをファイル名形式で第３の領域に一覧表示する手段とを備える。【選択図】図１
2008305240.tif 000002
【特許請求の範囲】
【請求項１】
コンピュータで処理可能な電子ファイル又は前記電子ファイルを記録媒体上で概念的に記録する場所を示すフォルダーを表示する情報表示装置において、
階層的に管理された前記フォルダーを第１の表示領域に階層表示するフォルダー表示手段と、
前記フォルダー表示手段によって階層表示された前記フォルダーのうち指定されたフォルダー内の電子ファイルをサムネイル形式で第２の領域に一覧表示するサムネイル表示手段と、
前記フォルダー表示手段によって階層表示された前記フォルダーのうち指定されたフォルダー内の電子ファイルをファイル名形式で第３の領域に一覧表示するファイル名表示手段と、
を備えることを特徴とする情報表示装置。
【請求項２】
前記第２の表示領域と前記第３の表示領域との境界が可変であることを特徴とする請求項１に記載の情報表示装置。
【請求項３】
前記第２の表示領域又は前記第３の表示領域の何れか一方で一覧表示された任意の電子ファイルを指定すると、対応する電子ファイルが前記第２の表示領域又は前記第３の表示領域の他方内で表示されることを特徴とする請求項１又は２に記載の情報表示装置。
【請求項４】
前記第２の表示領域又は前記第３の表示領域の他方内で対応する電子ファイルが表示される際、前記対応するファイルが指定されていることが明示されることを特徴とする請求項３に記載の情報表示装置。
【請求項５】
前記第２の表示領域又は前記第３の表示領域に表示された任意の電子ファイルを実行指示すると、前記実行指示された電子ファイルが実行されることを特徴とする請求項１乃至４の何れか１項に記載の情報表示装置。
【請求項６】
請求項１乃至５の何れか１項に記載の情報表示装置を備えることを特徴とする内視鏡システム。
【請求項７】
コンピュータで処理可能な電子ファイル又は前記電子ファイルを記録媒体上で概念的に記録する場所を示すフォルダーを表示する情報表示装置における情報表示方法であって、
階層的に管理された前記フォルダーを第１の表示領域に階層表示し、
前記階層表示された前記フォルダーのうち指定されたフォルダー内の電子ファイルをサムネイル形式で第２の領域に一覧表示し、
前記階層表示された前記フォルダーのうち指定されたフォルダー内の電子ファイルをファイル名形式で第３の領域に一覧表示する、
ことを特徴とする情報表示方法。
【請求項８】
コンピュータで処理可能な電子ファイル又は前記電子ファイルを記録媒体上で概念的に記録する場所を示すフォルダーを表示する情報表示装置のコンピュータを、
階層的に管理された前記フォルダーを第１の表示領域に階層表示するフォルダー表示手段と、
前記フォルダー表示手段によって階層表示された前記フォルダーのうち指定されたフォルダー内の電子ファイルをサムネイル形式で第２の領域に一覧表示するサムネイル表示手段と、
前記フォルダー表示手段によって階層表示された前記フォルダーのうち指定されたフォルダー内の電子ファイルをファイル名形式で第３の領域に一覧表示するファイル名表示手段と、
して機能させるための情報表示プログラム。
【発明の詳細な説明】
【技術分野】
【０００１】
本発明は、電子ファイル及びフォルダー又はディレクトリを表示する情報表示装置、情報表示方法、情報表示プログラム、及び内視鏡システムに関し、特に、同一のフォルダー又はディレクトリ内の電子ファイルを異なる形式で同時に表示する技術に関する。
【背景技術】
【０００２】
従来、パーソナルコンピュータ等に画像閲覧ソフトウェアを組み込んだ装置としての情報表示装置では、ハードディスクやフレキシブルディスクなどの記憶媒体（記憶装置）で電子文書ファイルや電子画像ファイル等の電子ファイルを分類及び整理するため、フォルダー（又はディレクトリ）を作成し、そのフォルダー内に各電子ファイルを格納することが行われている。このフォルダー内には、各電子ファイルのみならず別のフォルダーをサブフォルダーとして格納することもできる。そして、これらのフォルダー、サブフォルダー（又はサブディレクトリ）及び電子ファイルは、通常階層的に分類及び管理されている。
【０００３】
また、これら階層的に分類及び管理されたフォルダー及びサブフォルダーは、その階層構造を視覚的に認識し易いように所定領域内で階層表示されたり、任意の指定されたフォルダー又はサブフォルダー内に格納されたサブフォルダー又は電子ファイルは、所定領域内で一覧表示されたりしている（例えば、特許文献１参照。）。
【０００４】
図８は、サムネイル画像を表示している従来の情報表示装置の表示例を示す図である。
図８に示すように、従来の情報表示装置は、その表示画面１０に表示ウインドウとしてメインウインドウ１１を表示する。メインウインドウ１１は、各種ツールバー１２の他に、フォルダーツリーエリア１３およびコンテンツエリア９０を備え、これらフォルダーツリーエリア１３およびコンテンツエリア９０を同時に表示している。
【０００５】
図８において、フォルダーツリーエリア１３には、階層的に管理された前記フォルダーが階層表示されている。そして、フォルダー名「１００ＩＶ７Ｒ１」のフォルダーは、指定されていることを明示するためのフォルダー名がハイライトされている。
【０００６】
コンテンツエリア９０には、前記フォルダーツリーエリア１３に階層表示された前記フォルダーにおいて指定されたフォルダー内の電子ファイルのうち、９個という限られた数の電子ファイルがサムネイル形式で一覧表示されている。
【０００７】
図９は、ファイル名を表示している従来の情報表示装置の表示例を示す図である。
ユーザーはツールバー１２を用いて特定の操作をすることにより、コンテンツエリア９０内の表示を図９のように多数のファイル名の一覧表示に切り換えることができる。
【０００８】
図８のコンテンツエリア９０に表示されているサムネイル形式の表示は、各ファイルがどんな画像であるかをユーザーが知ることができて便利である。しかしながらサムネイル形式では１ファイルごとにある程度の面積を占有するので、限られたコンテンツエリア９０内に表示できるサムネイルの数は非常に限定される。指定されたフォルダー内の電子ファイル全てを表示できないことが多い。このような場合は、スクロールバーを用いて、それを操作することによって全ての電子ファイルのサムネイルを順次表示させることになる。また、今日ではパーソナルコンピュータの性能が向上したとはいえ、サムネイルは画像であるため、それを複数表示すにはある程度の処理時間を必要とする。したがって、ユーザーがある特定の電子ファイルを実行したい場合で、そのサムネイルが現在コンテンツエリア９０内に表示されていない場合は、まずサムネイルをスクロールさせて所望の電子ファイルが表示されるようにしなければならない。この作業においてユーザーはパーソナルコンピュータの処理に要する時間を待たなければならない。
【０００９】
一方図９のようなファイル名の一覧表示に切り換えた場合は、ファイル名の表示はほとんど一瞬にして行われる。また指定されたフォルダー内に多数の電子ファイルがあっても、ファイル名１つあたりが占有する面積が小さいため、多数のファイル名を一度に表示できる。またもし指定されたフォルダー内の電子ファイル全部を一度に表示できず、スクロールバーを表示してスクロールさせなければならない場合でも、その動作はきわめて高速に行われる。したがって図９のようなファイル名の一覧表示を用いた場合は、各ファイルがどんな画像であるかをユーザーが知ることはできないが、ユーザーがある特定の電子ファイルを実行したい場合に、その動作はきわめて短時間に実行できる。
【特許文献１】特開２００６−３５０６３４号公報
【発明の開示】
【発明が解決しようとする課題】
【００１０】
しかしながら、上述のような情報表示装置においては、指定されたフォルダー又はサブフォルダー内に格納されたサブフォルダー又は電子ファイルを所定領域内で一覧表示する際、ユーザーの使用目的に応じて、限られた数の縮小された画像又はアイコン等のサムネイルを一覧表示するか、サムネイルのない多数のファイル名を一覧表示するかのどちらかであり、サムネイルの一覧表示とファイル名の一覧表示とを同時に表示することができないという問題点があった。
【００１１】
本発明は、上述のような実状に鑑みたものであり、指定されたフォルダー又はサブフォルダー内に格納されたサブフォルダー又は電子ファイルを一覧表示する際、所定領域での限られた数のサムネイルの一覧表示と、所定領域でのサムネイルのない多数のファイル名の一覧表示とを同時に表示することが可能な情報表示装置、情報表示方法及び情報表示プログラムを提供することを目的とする。
【課題を解決するための手段】
【００１２】
本発明は、上記課題を解決するため、下記のような構成を採用した。
すなわち、本発明の一態様によれば、本発明の情報表示装置は、コンピュータで処理可能な電子ファイル又は前記電子ファイルを記録媒体上で概念的に記録する場所を示すフォルダーを表示する情報表示装置であって、階層的に管理された前記フォルダーを第１の表示領域に階層表示するフォルダー表示手段と、前記フォルダー表示手段によって階層表示された前記フォルダーのうち指定されたフォルダー内の電子ファイルをサムネイル形式で第２の領域に一覧表示するサムネイル表示手段と、前記フォルダー表示手段によって階層表示された前記フォルダーのうち指定されたフォルダー内の電子ファイルをファイル名形式で第３の領域に一覧表示するファイル名表示手段とを備えることを特徴とする。
【００１３】
また、本発明の情報表示装置は、前記第２の表示領域と前記第３の表示領域との境界が可変であることが望ましい。
また、本発明の情報表示装置は、前記第２の表示領域又は前記第３の表示領域の何れか一方で一覧表示された任意の電子ファイルを指定すると、対応する電子ファイルが前記第２の表示領域又は前記第３の表示領域の他方内で表示されることが望ましい。
【００１４】
また、本発明の情報表示装置は、前記第２の表示領域又は前記第３の表示領域の他方内で対応する電子ファイルが表示される際、前記対応するファイルが指定されていることが明示されることが望ましい。
【００１５】
また、本発明の情報表示装置は、前記第２の表示領域又は前記第３の表示領域に表示された任意の電子ファイルを実行指示すると、前記実行指示された電子ファイルが実行されることが望ましい。
【００１６】
また、本発明の一態様によれば、本発明の情報表示方法は、コンピュータで処理可能な電子ファイル又は前記電子ファイルを記録媒体上で概念的に記録する場所を示すフォルダーを表示する情報表示装置における情報表示方法であって、階層的に管理された前記フォルダーを第１の表示領域に階層表示し、前記階層表示された前記フォルダーのうち指定されたフォルダー内の電子ファイルをサムネイル形式で第２の領域に一覧表示し、前記階層表示された前記フォルダーのうち指定されたフォルダー内の電子ファイルをファイル名形式で第３の領域に一覧表示することを特徴とする。
【００１７】
また、本発明の一態様によれば、本発明の情報表示プログラムは、コンピュータで処理可能な電子ファイル又は前記電子ファイルを記録媒体上で概念的に記録する場所を示すフォルダーを表示する情報表示装置のコンピュータを、階層的に管理された前記フォルダーを第１の表示領域に階層表示するフォルダー表示手段と、前記フォルダー表示手段によって階層表示された前記フォルダーのうち指定されたフォルダー内の電子ファイルをサムネイル形式で第２の領域に一覧表示するサムネイル表示手段と、前記フォルダー表示手段によって階層表示された前記フォルダーのうち指定されたフォルダー内の電子ファイルをファイル名形式で第３の領域に一覧表示するファイル名表示手段として機能させるための情報表示プログラムである。
【発明の効果】
【００１８】
本発明によれば、指定されたフォルダー又はサブフォルダー内に格納されたサブフォルダー又は電子ファイルを一覧表示する際、所定領域での限られた数のサムネイルの一覧表示と、所定領域でのサムネイルのない多数のファイル名の一覧表示とを同時に表示することが可能となる。
【発明を実施するための最良の形態】
【００１９】
以下、本発明の実施の形態について図面を参照しながら説明する。
図１は、本発明の概要を説明するための図である。
本発明が適用される情報表示装置は、電子ファイル又は前記電子ファイルを記録媒体上で概念的に記録する場所を示すフォルダーを表示する。ここで、電子ファイルとは、パーソナルコンピュータ等のコンピュータで処理可能な電子文書ファイルや電子画像ファイル等を指す。
【００２０】
そして、この情報表示装置は、図１に示すように、その表示画面１０に表示ウインドウとしてメインウインドウ１１を表示する。メインウインドウ１１は、ツールバー１２の他に、フォルダーツリーエリア１３、サムネイルエリア１４及びファイルエリア１５を備え、これらのフォルダーツリーエリア１３、サムネイルエリア１４及びファイルエリア１５を同時に表示している。
【００２１】
図１において、フォルダーツリーエリア１３には、階層的に管理された前記フォルダーが階層表示されている。そして、フォルダー名「１００ＩＶ７Ｒ１」のフォルダーは、指定されていることを明示するためにフォルダー名がハイライト表示されている。
【００２２】
サムネイルエリア１４には、前記フォルダーツリーエリア１３に階層表示された前記フォルダーのうち指定されたフォルダー内の電子ファイルがサムネイル形式で一覧表示される。
【００２３】
また、ファイルエリア１５には、前記フォルダーツリーエリア１３に階層表示された前記フォルダーのうち指定されたフォルダー内の電子ファイル、すなわち、前記サムネイルエリア１４にサムネイル形式で一覧表示されている電子ファイルがファイル名形式で一覧表示される。
【００２４】
これらのフォルダーツリーエリア１３、サムネイルエリア１４及びファイルエリア１５間の境界は、例えばマウス装置等を用いて移動させることが可能である。この境界の移動によってフォルダーツリーエリア１３、サムネイルエリア１４又はファイルエリア１５の形状又はサイズが変動し、最適なレイアウトにすることができる。
【００２５】
例えば、フォルダーツリーエリア１３内に表示されているフォルダーの階層が深い場合等は、フォルダーツリーエリア１３を大きくする要望があり、フォルダーツリーエリア１３内に表示されているフォルダーの階層が深くない場合等は、フォルダーツリーエリア１３を大きくする必要性がない。また、サムネイルエリア１４又はファイルエリア１５に表示されるべき電子ファイルの数が多い場合等は、サムネイルエリア１４又はファイルエリア１５を大きくする要望があり、サムネイルエリア１４又はファイルエリア１５に表示されるべき電子ファイルの数が少ない場合等は、サムネイルエリア１４又はファイルエリア１５を大きくする必要性がない。よって、フォルダーツリーエリア１３とサムネイルエリア１４との間の境界、フォルダーツリーエリア１３とファイルエリア１５との間の境界はもちろん、サムネイルエリア１４とファイルエリア１５との間の境界も可変自在である。
【００２６】
このように、フォルダーツリーエリア１３、サムネイルエリア１４及びファイルエリア１５間の境界は可変自在であるので、例えば図１のサムネイルエリア１４に示すように、フォルダー名「１００ＩＶ７Ｒ１」のフォルダー内に格納されている電子ファイルの全てを表示し切れないことがある。このような場合は、スクロールバーを用いてフォルダー名「１００ＩＶ７Ｒ１」のフォルダー内に格納されている何れの電子ファイルをも、サムネイルエリア１４内に表示することが可能である。
【００２７】
ところで、サムネイルエリア１４及びファイルエリア１５は互いに独立している。したがって、サムネイルエリア１４に表示されている電子ファイルがファイルエリア１５に表示されているとは限らない。例えば、図１に示したサムネイルエリア１４内にはファイル名「ＩＶ７Ｉ１０３３．ＪＰＧ」のサムネイル画像が表示されているが、ファイルエリア１５内にはファイル名「ＩＶ７Ｉ１０３３．ＪＰＧ」は表示されていない。
【００２８】
このような場合においても、サムネイルエリア１４又はファイルエリア１５の何れか一方（例えば、サムネイルエリア１４）で一覧表示された任意の電子ファイルを指定（例えば、マウス装置によるシングルクリック）すると、対応する電子ファイルがサムネイルエリア１４又はファイルエリア１５の他方（この例では、ファイルエリア１５）内で表示される。例えば、図１に示したサムネイルエリア１４内にはファイル名「ＩＶ７Ｉ１０２７．ＪＰＧ」のサムネイル画像が表示され、この電子ファイルが指定されたことを明示するためにサムネイル画像が枠で囲われており、ファイルエリア１５内にもファイル名「ＩＶ７Ｉ１０２７．ＪＰＧ」が表示され、この電子ファイルが指定されたことを明示するためにファイル名が枠で囲われている。
【００２９】
図２は、電子ファイルの稼動状態を示す図である。
本発明を適用した情報表示装置は、図１に示したような状態において、サムネイルエリア１４又はファイルエリア１５の何れか一方に表示された任意の電子ファイルを実行指示すると、前記実行指示された電子ファイルが実行される。例えば、サムネイルエリア１４に表示されたファイル名「ＩＶ７Ｉ１０２７．ＪＰＧ」のサムネイル画像がマウス装置によるダブルクリックする等により実行指示されると、「ＩＶ７Ｉ１０２７．ＪＰＧ」は静止画像の電子ファイルであるので、図２に示すように、イメージウインドウ２１が開き、「ＩＶ７Ｉ１０２７．ＪＰＧ」の静止画像がイメージウインドウ２１に表示される。また、ファイルエリア１５に表示されたファイル名「ＩＶ７Ｉ１０２７．ＪＰＧ」がマウス装置によりダブルクリックされた場合も同様である。すなわち、ユーザーは、サムネイルエリア１４又はファイルエリア１５の何れで実行指示すべきであるのかを迷うことなく、快適に実行指示することができる。
【００３０】
図３は、本発明を適用した情報表示装置の使い勝手の良さを説明するための図である。
図２に示したような状態において、すなわち、電子画像ファイル等が実行されることによりメインウインドウ１１がイメージウインドウ２１の上に重なって表示されているような状態において、メインウインドウ１１に対して他の操作を行ないたい場合が考えられる。このような場合、メインウインドウ１１がイメージウインドウ２１の上に重なって表示されるように切り換えても良いが、メインウインドウ１１のサイズを小さく変更することにより、メインウインドウ１１及びイメージウインドウ２１の双方を閲覧可能にすることができる。
【００３１】
このような場合においても、上述したように、フォルダーツリーエリア１３、サムネイルエリア１４及びファイルエリア１５間の境界は可変自在であるので、使い勝手が非常に良い。
【００３２】
次に、本発明を適用した情報表示装置において実行される「情報表示処理」の流れを説明する。
図４は、本発明を適用した情報表示装置において実行される「情報表示処理」の流れを示すフローチャートであり、図５は、「情報表示処理」中のサブルーチン「ウインドウ操作処理」の流れを示すフローチャートであり、図６は、「ウインドウ操作処理」中のサブルーチン「ファイル実行処理」の流れを示すフローチャートである。
【００３３】
まず、図４のステップ４０１において、ユーザーからの指示によりウインドウを開く旨の指示があったか否かの判断を行なう。
ウインドウを開く旨の指示があったと判断された場合（ステップＳ４０１：Ｙｅｓ）は、ステップＳ４０２において、表示画面１０に表示するためのメインウインドウ１１を作成する。他方、ウインドウを開く旨の指示がないと判断された場合（ステップＳ４０１：Ｎｏ）は、ウインドウを開く旨の指示を待つループに入る（ステップＳ４０１に戻る）。
【００３４】
そして、ステップＳ４０３において、メインウインドウ１１が備えるフォルダーツリーエリア１３を作成し、ステップＳ４０４において、メインウインドウ１１が備えるサムネイルエリア１４を作成し、ステップＳ４０５において、メインウインドウ１１が備えるファイルエリア１５を作成する。
【００３５】
続いて、ステップＳ４０６において、ステップＳ４０３乃至Ｓ４０５で作成したフォルダーツリーエリア１３、サムネイルエリア１４及びファイルエリア１５を備えるメインウインドウ１１を開く。
【００３６】
次に、ステップＳ４０７において、フォルダーツリーエリア１３には、階層的に管理された前記フォルダーを階層表示（フォルダーツリー表示）し、ステップＳ４０８において、指定されているフォルダーをハイライト表示する。指定されているフォルダーとしては、例えば初期値として「Ｍｙ  Ｄｏｃｕｍｅｎｔｓ」等が一般的である。
【００３７】
そして、ステップＳ４０９において、サムネイルエリア１４には、前記フォルダーツリーエリア１３に階層表示された前記フォルダーのうち指定されたフォルダー内の電子ファイルがサムネイル形式で一覧表示される。なお、一覧表示される電子ファイルが電子画像ファイルでない場合は、サムネイル画像の代わりにアイコンを表示する。また、サムネイルエリア１４内に全ての電子ファイルが一覧表示し切れない場合は、スクロールバーを表示し一部の電子ファイルのみを一覧表示する。
【００３８】
また、ステップＳ４１０において、ファイルエリア１５には、前記フォルダーツリーエリア１３に階層表示された前記フォルダーのうち指定されたフォルダー内の電子ファイルがファイル名形式で一覧表示される。ファイルエリア１５内に全ての電子ファイルが一覧表示し切れない場合は、スクロールバーを表示し一部の電子ファイルのみを一覧表示する。
【００３９】
これにより、フォルダーツリーエリア１３にはフォルダーが階層表示され、サムネイルエリア１４には電子ファイルがサムネイル形式で一覧表示され、ファイルエリア１５には電子ファイルがファイル名形式で一覧表示される。
【００４０】
次に、ステップＳ４１１において、ユーザーからの指示によりウインドウを閉じる旨の指示があったか否かの判断を行なう。
そして、ウインドウを閉じる旨の指示があったと判断された場合（ステップＳ４１１：Ｙｅｓ）は、ステップＳ４１２において、メインウインドウ１１を閉じる。他方、ウインドウを閉じる旨の指示がないと判断された場合（ステップＳ４１１：Ｎｏ）は、ステップＳ４１３において、メインウインドウ１１に対してウインドウを閉じる旨の指示以外の、ユーザーからの何らかの操作があったか否かの判断を行なう。
【００４１】
何らかの操作があったと判断された場合（ステップＳ４１３：Ｙｅｓ）は、ステップＳ４１４において、ユーザーからの操作に応じた処理を実行するためのサブルーチン「ウインドウ操作処理」を実行する。このサブルーチン「ウインドウ操作処理」については、図５を用いて詳述する。他方、何らかの操作がないと判断された場合（ステップＳ４１３：Ｎｏ）は、ステップＳ４１１に戻りユーザーからの指示を待つ。
【００４２】
次に、図５を用いてサブルーチン「ウインドウ操作処理」について説明する。
まず、図５のステップＳ５０１において、ユーザーからの指示が、メインウインドウ１１自身のサイズだけでなく、メインウインドウ１１が備えるフォルダーツリーエリア１３、サムネイルエリア１４及びファイルエリア１５のサイズを含む、メインウインドウ１１のサイズ変更するための操作であるか否かを判断する。例えば、マウス装置を用いてメインウインドウ１１の外枠がドラッグされたり、フォルダーツリーエリア１３、サムネイルエリア１４及びファイルエリア１５間の境界がドラッグされたりした場合は、メインウインドウ１１のサイズ変更のための操作であると判断する。
【００４３】
メインウインドウ１１のサイズ変更のための操作であると判断された場合（ステップＳ５０１：Ｙｅｓ）は、ステップＳ５０２において、サイズ変更のための操作に応じて、メインウインドウ１１、フォルダーツリーエリア１３、サムネイルエリア１４又はファイルエリア１５のサイズを変更し、ステップＳ５０３において、変更後のサイズに応じて表示内容を変更する。
【００４４】
ステップＳ５０１で、メインウインドウ１１のサイズ変更のための操作でないと判断された場合（ステップＳ５０１：Ｎｏ）、又はステップＳ５０３で表示内容を変更した後は、ステップＳ５０４において、ユーザーからの指示が、フォルダーの指定の変更であるか否かを判断する。
【００４５】
フォルダーの指定の変更であると判断された場合（ステップＳ５０４：Ｙｅｓ）は、ステップＳ５０５において、指定が変更されたフォルダーをハイライト表示し、ステップＳ５０６において、サムネイルエリア１４に、ステップＳ５０５でハイライト表示された変更後のフォルダー内の電子ファイルをサムネイル形式で一覧表示し、ステップＳ５０７において、ファイルエリア１５に、ステップＳ５０５でハイライト表示された変更後のフォルダー内の電子ファイルをファイル名形式で一覧表示する。
【００４６】
ステップＳ５０４で、フォルダーの指定の変更でないと判断された場合（ステップＳ５０４：Ｎｏ）、又はステップＳ５０７で一覧表示した後は、ステップＳ５０８において、ユーザーからの指示が、電子ファイルを実行するための指示であるか否かを判断する。
【００４７】
電子ファイルを実行するための指示であると判断された場合（ステップＳ５０８：Ｙｅｓ）は、ステップＳ５０９において、図６を用いて説明するサブルーチン「ファイル実行処理」を実行する。
【００４８】
その後、又はステップＳ５０８で、ファイル実行処理のための指示ではないと判断された場合（ステップＳ５０８：Ｎｏ）は、ステップＳ５１０において、ユーザーからの指示が、メインウインドウ１１を閉じるための操作でもなく、サイズ変更のための操作でもなく、フォルダー変更のための操作でもなく、ファイル実行のための操作でもない、その他の処理のための操作である否かを判断する。
【００４９】
そして、その他の操作であると判断された場合（ステップＳ５１１：Ｙｅｓ）は、ステップＳ５１１において、その他の処理を実行して図４のステップＳ４１１に戻り、その他の操作でもないと判断された場合（ステップＳ５１１：Ｎｏ）も、図４のステップＳ４１１に戻りユーザーからの指示を待つ。
【００５０】
次に、図６を用いてサブルーチン「ファイル実行処理」について説明する。
まず、図６のステップＳ６０１において、ユーザーからの指示が、サムネイルエリア１４にサムネイル形式で一覧表示されている電子ファイルに対して所定の操作を施したか否か、例えばマウス装置等によりシングルクリックしたか否かを判断する。
【００５１】
シングルクリックの操作であると判断された場合（ステップＳ６０１：Ｙｅｓ）は、ステップＳ６０２において、そのシングルクリックされた電子ファイル（サムネイル画像）を矩形で囲うなどして明示表示する。そして、ステップＳ６０３において、シングルクリックされた電子ファイルに対応するファイル名が、ファイルエリア１５で表示されているか否かを判断する。
【００５２】
表示されていないと判断された場合（ステップＳ６０３：Ｎｏ）は、ステップＳ６０４において、ファイルエリア１５内をスクロール等して対応するファイル名が表示されるようにする。他方、表示されていると判断された場合（ステップＳ６０３：Ｙｅｓ）、又はステップＳ６０４で対応するファイル名を表示した後、ステップＳ６０５において、その対応するファイル名を矩形で囲うなどして明示表示する。
【００５３】
次に、ステップＳ６０５でファイル名を明示表示した後、又はステップＳ６０１でサムネイル画像のシングルクリックの操作でないと判断された場合（ステップＳ６０１：Ｎｏ）は、ステップＳ６０６において、ユーザーからの指示が、ファイルエリア１５にファイル名形式で一覧表示されている電子ファイルに対して所定の操作を施したか否か、例えばマウス装置等によりシングルクリックしたか否かを判断する。
【００５４】
シングルクリックの操作であると判断された場合（ステップＳ６０６：Ｙｅｓ）は、ステップＳ６０７において、そのシングルクリックされた電子ファイル（ファイル名）を矩形で囲うなどして明示表示する。そして、ステップＳ６０８において、シングルクリックされた電子ファイルに対応するサムネイル画像が、サムネイルエリア１４で表示されているか否かを判断する。
【００５５】
表示されていないと判断された場合（ステップＳ６０８：Ｎｏ）は、ステップＳ６０９において、サムネイルエリア１４内をスクロール等して対応するサムネイル画像が表示されるようにする。他方、表示されていると判断された場合（ステップＳ６０８：Ｙｅｓ）、又はステップＳ６０９で対応するサムネイル画像を表示した後、ステップＳ６１０において、その対応するサムネイル画像を矩形で囲うなどして明示表示する。
【００５６】
次に、ステップＳ６１０でサムネイル画像を明示表示した後、又はステップＳ６０６でファイル名のシングルクリックの操作でないと判断された場合（ステップＳ６０６：Ｎｏ）は、ステップＳ６１１において、ユーザーからの指示が、サムネイルエリア１４にサムネイル形式で一覧表示されている電子ファイル、又はファイルエリア１５にファイル名形式で一覧表示されている電子ファイルに対して所定の操作を施したか否か、例えばマウス装置等によりダブルクリックしたか否かを判断する。
【００５７】
ダブルクリックの操作であると判断された場合（ステップＳ６１１：Ｙｅｓ）は、ステップＳ６１２において、そのダブルクリックされた電子ファイルを稼動させる。例えば、その電子ファイルが静止画像であれば静止画像を表示し、動画像であれば動画像を再生し、音声画像であれば音声を再生する。
【００５８】
そして、ステップＳ６１２で電子ファイルを稼動した後、又はステップＳ１１でダブルクリックの操作でないと判断された場合（ステップＳ６１１：Ｎｏ）は、上述した図５のステップＳ５１０へ進む。
【００５９】
図７は、本発明を適用した情報表示装置の応用例を説明するための図である。
本発明を適用した情報表示装置のメインウインドウ１１が備えるツールバー１２の１つ（ツールバー１２の他の１つであるアドレスバーの下に表示されているツールバー１２）には、現在指定されているフォルダーまたは電子ファイルの修正日時が表示される。フォルダーが指定されており電子ファイルが指定されていない場合は、そのフォルダーの修正日時が表示される。他方、電子ファイルが指定されている場合は、その電子ファイルの修正日時が表示される。図７においては、「Ｍｏｄｉｆｉｅｄ：１０／２８／２００６」と表示され、２００６年１０月２８日に修正されたことが示されている。もちろん、時刻も表示可能である。
【００６０】
また、フォルダーに記録されている電子ファイルが電子動画ファイルの場合は、その電子動画ファイルの１フレーム目を縮小した画像をサムネイル画像として表示する。上述したように、そのサムネイル画像またはファイル名をダブルクリックすると、動画が再生される。
【００６１】
また、フォルダーに記録されている電子ファイルが内視鏡装置によってステレオ計測を実行した経緯のある電子画像ファイルの場合は、サムネイル画像の例えば右下コーナー付近に計測アイコン７１を表示する。これによりユーザーは、ステレオ計測した結果を有する電子画像ファイルを容易に見つけることができる。
【００６２】
また、フォルダーに記録されている電子ファイルが電子画像ファイルでない場合は、サムネイル画像の代わりに所定のアイコンを表示する。そのアイコンをダブルクリックすると、ファイル名をダブルクリックした際に起動されるソフトウェアと同じソフトウェアが起動され、その電子ファイルが再生される。例えば、電子ファイルが電子音声ファイルの場合は、電子音声ファイルであることを表すアイコンが表示され、ダブルクリックすると再生用ソフトウェアが起動され、その音声が再生される。
【００６３】
さらに、電子音声ファイルを再生する場合において、その電子音声ファイルと同一ファイル名の電子静止画像ファイルが存在する場合は、同時にその電子静止画像ファイルをイメージウインドウ２１に表示する。例えば、電子音声ファイル「ＩＶ７Ｉ００３０．ＷＡＶ」と同一ファイル名の電子静止画像ファイル「ＩＶ７Ｉ００３０．ＪＰＧ」が同一フォルダー内にある場合は、上記の電子音声ファイル「ＩＶ７Ｉ００３０．ＷＡＶ」の再生とともにイメージウインドウ２１が開き、この電子静止画像ファイル「ＩＶ７Ｉ００３０．ＪＰＧ」が表示される。
【００６４】
以上、本発明の各実施の形態を、図面を参照しながら説明してきたが、本発明が適用される情報表示装置は、その機能が実行されるのであれば、上述の各実施の形態等に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。例えば、内視鏡装置によって取得された電子ファイル及びそのフォルダーを、ＬＡＮ等のネットワークを介して本発明の情報表示装置によって表示してもよいし、内視鏡装置に本発明の情報表示装置を適用してもよい。
【００６５】
また、バスに接続されたＣＰＵ、ＲＯＭやＲＡＭのメモリ、入力装置、出力装置、外部記録装置、媒体駆動装置、可搬記憶媒体、ネットワーク接続装置で構成されるシステムでも実現できる。すなわち、前述してきた各実施の形態のシステムを実現するソフトウェアのプログラムコードを記録したＲＯＭやＲＡＭのメモリ、外部記録装置、可搬記憶媒体を、情報表示装置に供給し、その情報表示装置のコンピュータがプログラムコードを読み出し実行することによっても、達成されることは言うまでもない。
【００６６】
この場合、可搬記憶媒体等から読み出されたプログラムコード自体が本発明の新規な機能を実現することになり、そのプログラムコードを記録した可搬記憶媒体等は本発明を構成することになる。
【００６７】
プログラムコードを供給するための可搬記憶媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記憶媒体などを用いることができる。
【００６８】
また、コンピュータがメモリ上に読み出したプログラムコードを実行することによって、前述した各実施の形態の機能が実現される他、そのプログラムコードの指示に基づき、コンピュータ上で稼動しているＯＳなどが実際の処理の一部又は全部を行ない、その処理によっても前述した各実施の形態の機能が実現される。
【００６９】
さらに、可搬型記憶媒体から読み出されたプログラムコードやプログラム（データ）提供者から提供されたプログラム（データ）が、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行ない、その処理によっても前述した各実施の形態の機能が実現され得る。
【００７０】
すなわち、本発明は、以上に述べた各実施の形態等に限定されるものではなく、本発明の要旨を逸脱しない範囲内で種々の構成又は形状を取ることができる。
【図面の簡単な説明】
【００７１】
【図１】本発明の概要を説明するための図である。
【図２】電子ファイルの稼動状態を示す図である。
【図３】本発明を適用した情報表示装置の使い勝手の良さを説明するための図である。
【図４】本発明を適用した情報表示装置において実行される「情報表示処理」の流れを示すフローチャートである。
【図５】「情報表示処理」中のサブルーチン「ウインドウ操作処理」の流れを示すフローチャートである。
【図６】「ウインドウ操作処理」中のサブルーチン「ファイル実行処理」の流れを示すフローチャートである。
【図７】本発明を適用した情報表示装置の応用例を説明するための図である。
【図８】サムネイル画像を表示している従来の情報表示装置の表示例を示す図である。
【図９】ファイル名を表示している従来の情報表示装置の表示例を示す図である。
【符号の説明】
【００７２】
１０    表示画面
１１    メインウインドウ
１２    ツールバー
１３    フォルダーツリーエリア
１４    サムネイルエリア
１５    ファイルエリア
２１    イメージウインドウ
７１    計測アイコン
９０    コンテンツエリア
【図４】
2008305240.tif 000003
【図５】
2008305240.tif 000004
【図６】
2008305240.tif 000005
【図１】
2008305240.tif 000006
【図２】
2008305240.tif 000007
【図３】
2008305240.tif 000008
【図７】
2008305240.tif 000009
【図８】
2008305240.tif 000010
【図９】
2008305240.tif 000011